Podtech/llm-jp-corpus-v4-ja_patent huggingface dataset:
(57)【要約】      （修正有）【課題】重心の移動を利用して移動を容易にすることができる履物を提供する。【解決手段】履物は、アウトソール１と、このアウトソール１の長手方向に長く形成された凹溝１ａと、この凹溝１ａ内を転動して移動する球体３とを備えているものである。また、アウトソール１は、アウトソール１の凹溝１ａにあっては、平面視で略くの字状をなしている。これは、足を踵から着地する場合、一般に外側に重心をかけて着地するため、球体３が、平面視で略くの字状をなした凹溝１ａ内をスムーズに移動して、移動を容易にするためである。【選択図】図２
0003194551.tif 000002
【実用新案登録請求の範囲】
【請求項１】
アウトソールと、
このアウトソールの長手方向に長く形成された凹溝と、
この凹溝内を転動して移動する球体とを備えている
ことを特徴とする履物。
【請求項２】
凹溝は、踵から爪先に向かって下る下り勾配に形成され、
左足のアウトソールの前記凹溝にあっては、平面視で略くの字状をなしている
ことを特徴とする請求項１記載の履物。
【請求項３】
凹溝は、踵から爪先に向かって下る下り勾配に形成され、
右足のアウトソールの前記凹溝にあっては、平面視で略逆くの字状をなしている
ことを特徴とする請求項１記載の履物。
【考案の詳細な説明】
【技術分野】
【０００１】
本考案は、履物に係り、特に、重心の移動を利用して移動を容易にすることができる履物に関する。
【背景技術】
【０００２】
従来、履きやすい履物がある。
【考案の概要】
【考案が解決しようとする課題】
【０００３】
履きやすい履物にしようとすれば、素材等にコストがかかるという問題点があった。
【０００４】
本考案は、上記の問題点を考慮してなされた履物を提供することを目的とする。
【課題を解決するための手段】
【０００５】
請求項１記載の履物は、アウトソールと、このアウトソールの長手方向に長く形成された凹溝と、この凹溝内を転動して移動する球体とを備えているものである。
【０００６】
また、請求項２記載の履物は、請求項１記載の履物において、凹溝は、踵から爪先に向かって下る下り勾配に形成され、左足のアウトソールの前記凹溝にあっては、平面視で略くの字状をなしているものである。
【０００７】
また、請求項３記載の履物は、請求項１記載の履物において、凹溝は、踵から爪先に向かって下る下り勾配に形成され、右足のアウトソールの前記凹溝にあっては、平面視で略逆くの字状をなしているものである。
【考案の効果】
【０００８】
請求項１記載の履物によれば、足の動きに応じて、球体がアウトソールの凹溝内を移動するため、重心の移動を利用して移動を容易にすることができ、また、興味を抱いて使用することができる等の効果がある。
【０００９】
また、請求項２記載の履物によれば、上述した請求項１記載の考案の効果に加え、足を踵から着地する場合、一般に外側に重心をかけて着地するため、球体は、平面視で略くの字状をなした凹溝内をスムーズに移動して、移動を更に容易にすることができる。
【００１０】
また、請求項３記載の履物によれば、上述した請求項１記載の考案の効果に加え、足を踵から着地する場合、一般に外側に重心をかけて着地するため、球体は、平面視で略逆くの字状をなした凹溝内をスムーズに移動して、移動を更に容易にすることができる。
【図面の簡単な説明】
【００１１】
【図１】図１は、本考案の一実施例の要部を示したアウトソールの概略的斜視図である。
【図２】図２は、図１の概略的断面図である。
【図３】図３は、図１のアウトソールを採用した履物の概略的側面図である。
【図４】図４は、図１の概略的平面図である。
【図５】図５は、図１のアウトソールを右足用に採用した場合の概略的平面図である。
【考案を実施するための形態】
【００１２】
本考案の一実施例の履物を図面を参照して説明する（図１乃至図４参照）。
図１に示す１はアウトソールで、アウトソール１には、長手方向に長く形成された凹溝１ａが設けられ、アウトソール１の上部は、図３に示すように、アッパー２で覆われ、履物Ｆは、概略的に、アウトソール１、アッパー２で構成されている。
【００１３】
凹溝１ａは、図２に示すように、踵から爪先に向かって下る下り勾配に形成されている。
また、図２に示す３は、凹溝１ａ内を転動して移動する球体である。
また、図４に示すアウトソール１は、左足のもので、左足のアウトソール１の凹溝１ａにあっては、図４に示すように、平面視で略くの字状をなしている。
これは、足を踵から着地する場合、一般に外側に重心をかけて着地するため、球体３が、平面視で略くの字状をなした凹溝１ａ内をスムーズに移動して、移動を容易にするためである。
【００１４】
従って、上述した履物Ｆによれば、足の動きに応じて、球体３がアウトソール１の凹溝１ａ内を移動するため、重心の移動を利用して移動を容易にすることができ、また、興味を抱いて使用することができる等の効果がある。
【００１５】
上述した図１乃至図４記載の実施例のアウトソール１は、左足のものであるが、本願考案にあっては、これに限らず、右足のものにも、適用することができる。
図５に示すアウトソール１は、右足のもので、右足のアウトソール１の凹溝１ａにあっては、図５に示すように、平面視で略逆くの字状をなしている。
これは、足を踵から着地する場合、一般に外側に重心をかけて着地するため、球体（図２に示す球体３）が、平面視で略逆くの字状をなした凹溝１ａ内をスムーズに移動して、重心の移動を容易にするためである。
【符号の説明】
【００１６】
Ｆ      履物
１      アウトソール
１ａ    凹溝
３      球体
【図１】
0003194551.tif 000003
【図２】
0003194551.tif 000004
【図３】
0003194551.tif 000005
【図４】
0003194551.tif 000006
【図５】
0003194551.tif 000007
(57)【要約】      （修正有）【課題】詰め替える時、空のボトルを安定させ倒れにくくできる詰め替え時のボトルホルダーを提供する。【解決手段】４枚の押え羽根４が形成されるように、中央部に十字の切り込みが入れられた柔軟な弾力のあるゴム製シート２と、この切り込みに対応するようにゴム製シートに取り付けられた４枚の樹脂製補強羽根５で、詰め替えボトル６を支える。樹脂製補強羽根は基端部がゴム製シートの外縁部に固定され、先端側が互いに重なるように設けられている。【選択図】図５
0003194173.tif 000002
【実用新案登録請求の範囲】
【請求項１】
4枚の押え羽根（４）が形成されるように中央部に十字の切り込み３が入れられた柔軟な弾力性のあるゴム製シート（２）と、それぞれの切り込み（３）と対応するようにゴム製シート（２）に取り付けられた4枚の樹脂製の補強羽根（５）とを備え、この樹脂製補強羽根（５）は基端部がゴム製シート（２）の外縁部に固定され、先端側が互いに重なるように設けられていることを特徴とする詰め替え時のボトルホルダー。
【請求項２】
前記樹脂製補強羽根（５）は、弾力性のあるゴム製シート（２）に固定されることにより立ち上げられた時に、平らな状態に付勢されていること特徴とする請求項１記載の詰め替え時のボトルホルダー。
【考案の詳細な説明】
【技術分野】
【０００１】
本考案は、4枚の押え羽根が形成されるように、中央部に十字の切り込みが入れられた柔軟な弾力のあるゴム製シートと、切り込みに対応するようにゴム製シートに取り付けられた4枚の樹脂製の補強羽根からなる詰め替え時のボトルホルダーに関する。
【背景技術】
【０００２】
エコの時代になり、資源を大切にするため、様々な物に詰め替え用が販売されている（例えば特許文献１参照）。しかしながら、詰め替え時、空のボトルは不安定で、入れ替えている途中で倒れたりするトラブルがある。片手で空のボトルを押え、もう一方の手で詰め替え物を持つのは、不安定で重い物の場合は、なおさら辛い。
【先行技術文献】
【特許文献】
【０００３】
【特許文献１】特開2011-084278号公報
【考案の開示】
【考案が解決しようとする課題】
【０００４】
様々な詰め替え商品が販売されているが、詰め替える時、空のボトルは不安定で倒れやすいので、片方の手で支えなければならず、詰め替え物を、もう一方の片手だけで持つのは辛く、不便である。本案は、このような不便さを軽減する詰め替え時のボトルホルダーを提案する。
【課題を解決するための手段】
【０００５】
この問題を解決するための詰め替え時のボトルホルダーは、4枚の押え羽根が形成されるように中央部に十字の切り込みが入れられた柔軟な弾力性のあるゴム製シートと、それぞれに対応するように、ゴム製シートに取り付けられた4枚の樹脂製の補強羽根とを備え、この補強羽根は、基端部がゴム製シートの外縁部に固定され、先端側が互いに重なるように設けられていることを特徴とする詰め替え時のボトルホルダーである。
【考案の効果】
【０００６】
詰め替え時のボトルホルダーを使用する時は、空のボトルを平らな台の上に置き、詰め替え時のボトルホルダーのゴム製シートを対角線上の角を持ち、ゴム製シートの切り込みの中央部にボトルの先端部を押し付けて通過させ、ボトルの頭が出るまで下ろす。
【０００７】
この時、ゴム製シートで形成された4枚の羽根は、ボトルの下部を支え、樹脂製の補強羽根はボトルの上部を支える。また、下ろされたゴム製シートと平らな台の間にできる空間も、ボトルを安定させる。
【図面の簡単な説明】
【０００８】
【図１】詰め替え時のボトルホルダーを正面から見た図
【図２】詰め替え時のボトルホルダーを側面から見た図
【図３】詰め替え時のボトルホルダーを裏面から見た図
【図４】詰め替え時のボトルホルダーを分解した図
【図５】詰め替え時のボトルホルダーを実際にボトルにかぶせている図
【図６】詰め替え時のボトルホルダーを実際にボトルにかぶせた図
【図７】詰め替え時のボトルホルダーからボトルを取り外す図
【図８】大きい詰め替えボトルに、詰め替え時のボトルホルダーをかぶせた図
【考案を実施するための形態】
【０００９】
本考案は、調味料やシャンプーなどの詰め替え物７の詰め替えをし易くするためのものである。そのため、4枚の押え羽根４が形成されるように中央部に十字の切り込みが入れられた柔軟な弾力性のあるゴム製シート２と、それぞれの切り込み３と対応するように、ゴム製シートに取り付けられた４枚の樹脂製の補強羽根５を備えている。この補強羽根５は、基端部がゴム製シート２の外縁部に固定され、先端側が互いの重なり合うように設けられている。また、シャンプーなど大きいボトルの場合は、より安定させるために補助輪っか８がついている。
【００１０】
詰め替え時のボトルホルダー１は、ゴム製シート２によってできる４枚の羽根は詰め替えボトル６の下部を支え、ゴム製シートにそれぞれのスリットに対応するように外縁部に縫い付けて固定して取り付けられた４枚の補強羽根５が、詰め替えボトル６の上部を支えるという二重の構造で、より安定させているものである。使用後に汚れても、さっと水で流せるので、便利である。
【符号の説明】
【００１１】
１  詰め替え時のボトルホルダー
２  ゴム製シート
３  十字切り込み
４  押え羽根
５  樹脂製の補強羽根
６  詰め替えボトル
７  詰め替え物
８  補助輪っか
【図１】
0003194173.tif 000003
【図２】
0003194173.tif 000004
【図３】
0003194173.tif 000005
【図４】
0003194173.tif 000006
【図５】
0003194173.tif 000007
【図６】
0003194173.tif 000008
【図７】
0003194173.tif 000009
【図８】
0003194173.tif 000010
(57)【要約】      （修正有）【課題】濡れた傘をたたんだ時に、雨の滴で衣服が濡れたり、床面が滑りやすくなることを防止できる傘カバー付き一体型傘を提供する。【解決手段】傘本体２と、傘本体の先端側に被せられた防水性と伸縮性を替え備えた素材でできた筒状カバー５と、筒状カバーの先端を覆う半球状、又は球体の雨よけ８とを備え、筒状カバーは、筒状カバー本体に組み込まれた引っ張りコイルバネ６を有し、畳んだ状態で傘本体の先端側にかぶせられていて、開口側の引っ掛けリング７を引っ張って傘本体を収めるように筒状カバーを伸ばし、この開口部を傘本体の芯棒１０の先端に取り外し可能に取りつけることができる。【選択図】図１
0003194174.tif 000002
【実用新案登録請求の範囲】
【請求項１】
傘本体（２）と、傘本体（２）の先端側に被せられた筒状カバー（５）と、筒状カバー（５）の先端を覆う半球状、又は球体の雨よけ（８）とを備え、前記筒状カバー（５）は、筒状カバー本体（５）と、この筒状カバー本体（５）に組み込まれた引っ張りコイルバネ（６）とを有し、畳んだ状態で傘本体の先端側にかぶせられていて、開口側を引っ張って傘本体を収めるように筒状カバー（５）を伸ばし、この開口部を傘本体（２）の芯棒（１１）の先端に取り外し可能に取りつけることができるように構成されていることを特徴とする雨のしずく傘カバー付き一体型長傘。
【請求項２】
前記筒状カバー（５）の開口側には引っ掛けリング（７）が設けられていて、この引っ掛けリング（７）を傘本体の芯棒（１０）の先端に引っ掛けることにより、筒状カバー（５）を伸ばした状態に保持できることを特徴とする請求項１記載の雨のしずく傘カバー付き一体型長傘。
【考案の詳細な説明】
【技術分野】
【０００１】
本考案は、引っ張りコイルバネが内側に付いている伸縮性のある素材で出来た筒状カバーと、この筒状カバーを被う半球状又は、ほぼ半球状の雨よけを備えた雨のしずく傘カバー付き一体型長傘に関する。
【背景技術】
【０００２】
傘は、生活必需品として使用頻度が高いものであり、種々の形状、構造のものが考えられている（例えば特許文献１参照）。にも関わらず、濡れた傘の扱いに不自由があるのが現状である。お店ではビニール傘袋が用意されている場所もあるが、資源のことを考えると、無駄である。
【先行技術文献】
【特許文献】
【０００３】
【特許文献１】実用新案登録３１５０８０７号公報
【考案の開示】
【考案が解決しようとする課題】
【０００４】
濡れた傘は、そのまま持ち歩くと自分や他人の衣服を濡らしたり、傘についた雨のしずくで床が濡れ、滑りやすくなり、事故を起こすこともある。
【課題を解決するための手段】
【０００５】
この問題を解決するための雨のしずく傘カバー付き一体型長傘は、傘本体と、傘本体の先端側に被せられた筒状カバーと、筒状カバーの先端を覆う半球状、又は球体の雨よけとを備え、前記筒状カバーは、筒状カバー本体と、この筒状カバー本体に組み込まれた引っ張りコイルバネとを有し、畳んだ状態で傘本体の先端側にかぶせられていて、開口側を引っ張って傘本体を収めるように筒状カバーを伸ばし、この開口部を傘本体の芯棒の先端に取り外し可能に取りつけることができるように構成されているものである。この雨よけは、傘についた雨のしずくを受ける器であると同時に、筒状カバーの雨よけになっている。前記、雨のしずく傘カバー付き一体型長傘は、傘本体から雨よけが外れないように、ストッパーボルトがついているので、ジャンプ傘のような勢いある傘でも安心である。
【考案の効果】
【０００６】
雨のしずく傘カバーを使用する時は、傘をたたみ雨のしずく筒状カバーの開口上部の引き上げフックを持って引き上げ、そのそばについている引っ掛けリングを傘本体の骨の先端に引っ掛ける。傘をさすときは、引っ掛けリングを骨の先端からはずし、開口側を傘本体の先端側にずらして筒状カバーを畳む。ほとんどの場合、引っ掛けリングをはずすと組み込まれている引っ張りコイルバネの力で、自動的に傘本体の先端側に移動し雨よけの中に縮んでおさまる。また、筒状カバーの中や雨よけに溜まった雨は、傘をさす時、自然に流れ出る。筒状カバーは、雨よけで、雨から守られ外側は濡れない。雨のしずく傘カバー付き一体型長傘は、傘と傘カバーが一体型なので、無くすこともなく便利である。
【図面の簡単な説明】
【０００７】
【図１】筒状カバー付き一体型長傘を正面からみた図
【図２】筒状カバー付き一体型長傘を分解した図
【図３】筒状カバー付き一体型長傘の雨のしずく傘カバーを引き下げた時の正面から見た図
【図４】筒状カバー付き一体型長傘の雨のしずく傘カバーを球体又は半球体の雨よけが収納された時の正面から見た図
【図５】筒状カバー付き一体型長傘をを実際に使用している時の図
【図６】筒状カバー付き一体型長傘の雨のしずく傘カバーを引き上げている時の図
【図７】筒状カバー付き一体型長傘の雨のしずく傘カバーを引き上げて、傘の骨の先端に引っかけている時の図
【図８】筒状カバー付き一体型長傘が雨のしずく傘カバーの中に入った状態の使用図
【考案を実施するための形態】
【０００８】
本考案は、防水性のある伸縮性素材を兼ね備えた素材を使用し、その内側に引っ張りコイルバネ６が備えられた筒状カバー５を用いているので、様々な長さ傘に対応することができ、引っ掛けリング７を傘の骨の先端３に引っかけるので、ずり落ちたりしない。また、筒状カバー５の外側が濡れないように、傘本体２の先端の棒４の付け根部分には、球体又は半球体の雨よけ８が付いている。筒状カバー５を使用しないときには、この球体又は半球体の雨よけ８に収納される。また、傘本体2を開く時の反動で、球体又は半球体の雨よけ８が飛びださないように、球体又は半球体の雨よけ８の開口下部１５の下にストッパーボルト１０が差してある。
【０００９】
筒状カバー付き一体型長傘が、筒状カバー５の中に溜まった雨のしずくは傘本体１を開くと同時に出てしまうので、漏れることはない。
【符号の説明】
【００１０】
１  雨のしずく傘カバー付き一体型長傘
２  傘本体
３  傘の骨の先端
４  傘の先端の棒
５  筒状カバー
６  引っ張りコイルバネ
７  輪っか
８  球体又は半球体の雨よけ
９  ストッパーボルト
１０  傘の芯棒
【図１】
0003194174.tif 000003
【図２】
0003194174.tif 000004
【図３】
0003194174.tif 000005
【図４】
0003194174.tif 000006
【図５】
0003194174.tif 000007
【図６】
0003194174.tif 000008
【図７】
0003194174.tif 000009
【図８】
0003194174.tif 000010
(57)【要約】      （修正有）【課題】シャワーヘッドから出る湯水の塩素などを低減する装置を提供する。【解決手段】シャワーヘッドとホースの間に固定用アミＢで固定された炭Ｃが入ったプラスチック製の筒Ａを装着することで、そこを通りシャワーヘッドから出る湯水の塩素などを低減する。【選択図】図１
0003194149.tif 000002
【実用新案登録請求の範囲】
【請求項１】
シャワーヘッドとホースの間に炭の入ったプラスチック製の筒を装着することで、そこを通りシャワーヘッドから出る湯水の塩素などを低減することを特徴とする装置。
【考案の詳細な説明】
【技術分野】
【０００１】
本発明は、シャワーヘッドとホースの間に炭の入ったプラスチック製の筒を取り付ける事により、シャワーから出る湯水をより塩素の少ない、湯水として利用できるようにしたものである。
【背景技術】
【０００２】
従来はシャワーヘッドから出る湯水は通常の蛇口から出る湯水と同じであり、塩素などが含まれていた。
【考案の概要】
【考案が解決しようとする課題】
【０００３】
シャワーヘッドから出る湯水が塩素などを含む難点があった。
本発明は、この課題を解消するためになされたものである。
【課題を解決するための手段】
【０００４】
シャワーヘッドとホースの間に炭の個体の入ったプラスチック製の筒を装着し、そこを通る湯水の塩素などを低減し、湯水の質を向上する様にした。
【考案の効果】
【０００５】
シャワーヘッドから出る湯水の塩素などが低減されるようになった。
【図面の簡単な説明】
【０００６】
【図１】（A）本体（B）炭の固定用アミ（C）炭（D）シャワーヘッド側の取り付けネジ（E）ホース側の取り付けネジ（F）ゴムパッキン
【符号の説明】
【０００７】
（A）本体（B）炭の固定用アミ（C）炭（D）シャワーヘッド側の取り付けネジ（E）ホース側の取り付けネジ（F）ゴムパッキン
【図１】
0003194149.tif 000003
(57)【要約】      （修正有）【課題】緊急を要する治療時に過去の投薬情報を、速く正確に把握できる保険証を提供する。【解決手段】電子化されたカード型の保険証１であって、当該保険証１に電子化された投薬の記録表を組み込む。【選択図】図１
0003194198.tif 000002
【実用新案登録請求の範囲】
【請求項１】
電子化されたカ−ド型の保険証に、従来のお薬手帳の投薬の表を電子化し、前記保険証に組み込むことを特徴とする投薬の記録表を組み込んだ保険証。
【考案の詳細な説明】
【技術分野】
【０００１】  本考案は、従来からある保険証に、お薬手帳と呼ばれている投薬記録表を電子化して組み込んだ保険証に関するものである。
【背景技術】
【０００２】  医療機関において、薬を処方してもらう場合、その情報はお薬手帳という任意の手帳に記録され、保険証とは別に保管されていた。
【考案の概要】
【考案が解決しようとする課題】
【０００３】  お薬手帳は、法的な拘束力もなく作らない人も少なくない。また、お薬手帳を常に携帯している人も多くない。緊急入院時、過去の投薬情報を把握するのに時間がかかることが多々あった。携帯率の高い保険証とお薬手帳を一体化することで、治療上必要な、投薬情報を素早く正確に得ることが可能になり、前述の、欠点を解決しようとするものである。
【課題を解決するための手段】
【０００４】  本考案は、従来のお薬手帳の投薬情報の表を電子化して、電子化された保険証に組みこむことで問題点を解決している。
【考案の効果】
【０００５】  上述のように、保険証の中にお薬手帳が組み込まれているので、前記保険証を読み込むだけで、投薬の履歴を把握することができ、素早い治療に生かすことができる。
また、重複投薬や、飲み合わせなどを防ぐことに役立つ。
【図面の簡単な説明】
【０００６】
【図１】本考案の投薬記録表を組み込んだ保険証の実施例を示す正面図である。
【図２】投薬記録表の電子化された図。
【考案を実施するための形態】
【０００７】  お薬手帳の表を電子化し、保険証に記録する。その情報を読み取るソフトを全国の病院や医院、薬局に配備し、患者が来院し、保険証を提示した時読み込んだり新たな情報を書き込んだりできる。
【実施例】
【０００８】  以下、添付図に従って一実施例を説明する。１は、耐久性のプラスチック等適宜素材にてカードに成形された保険証本体、２は、お薬手帳の表を電子化したものを、紙媒体に書き写したものである。２の電子化されたものは、１の保険証本体に書き込まれ、医療機関にて保険証情報とともに読み込まれる。
【符号の説明】
【０００９】１  保険証本体
２  電子化されるお薬手帳の投薬の表
【図１】
0003194198.tif 000003
【図２】
0003194198.tif 000004
【手続補正書】
【提出日】平成26年8月4日(2014.8.4)
【手続補正１】
【補正対象書類名】実用新案登録請求の範囲
【補正対象項目名】全文
【補正方法】変更
【補正の内容】
【実用新案登録請求の範囲】
【請求項１】
電子化されたカード型の保険証であって、当該保険証に電子化された投薬の記録表を組み込んだことを特徴とする保険証。
(57)【要約】      （修正有）【課題】部屋の平らな所のみならず、凹凸部や器物上にでもとまったハエを、生きたまま潰さずに捕獲出来る率が高いハエ叩きを提供する。【解決手段】ハエ叩き部は、柔らかい、短冊状の網３で構成され、風受けが少なく、又、網３は柔らかい為、強く叩く事が出来る。そしてハエの羽が網３の網目に引っ掛かり、ハエの羽がダメージを受けて、生きたまま潰れずに捕獲が出来る事が多いことを特徴とする。【選択図】図１
0003194196.tif 000002
【実用新案登録請求の範囲】
【請求項１】
握り部（１）の付いた棒（２）の先端に、短冊状の網（３）を束ね付けたハエ叩き。  図１。
【請求項２】
請求項１の網（３）の代わりに、この部分を釣り糸の様な糸をバネの様に変形させた糸（４）を、束ね付けたハエ叩き。  図２。
【考案の詳細な説明】
【技術分野】
【０００１】  本考案は、部屋の平な所のみならず、「凹凸部や器物上」にでもとまったハエを、「生きたまま潰さずに」捕獲出来る率が高い事を特徴とするハエ叩きに関する。
【背景技術】
【０００２】現在、市販されているハエ叩きの主な物は、握り部の付いた棒の先に硬い樹脂の網目の付いた物や網目に電気が流れる物が殆どである。他に商品化されずに出願されている物はあるが、市販中の品を使った場合、凹凸部や器物上にとまったハエは叩けない。叩けたとしても潰れてしまい大変汚い。
【先行技術文献】
【０００３】
【特許文献】
【特許文献】  出願番号  特許出願２００５−３２８０７０
【考案の概要】
【考案が解決しようとする課題】
【０００４】ハエは飛んでいる時に叩く事は、大変効率が悪くて疲れる。この為、止まっている時に叩く事が多いが、現在市販中の物は先端が硬くて、止まっている場所が凹凸状や器物上に居る時は叩く事が出来ない。叩けた場合でもハエが潰れてしまい、血などが壁などに付いて汚い。上記の特許文献に出ている物は本考案に近いが、「直線形状」の短冊状切片や線状体で構成されている為、風受けが強い。風受けが強い事は、ハエが風に乗り、取り逃がす事になる。部屋の単純な凹凸部には対処が出来ると思われるが、複雑な凹凸部や器物上には適さない。ハエが凹み場に居る場合は、ハエ叩きが直線形状の場合、橋が掛りハエを叩く事が出来ない。又  従来の様に叩く部分が平面的な形状の為、ハエを叩く方向が決まってしまう。
【課題を解決するための手段】
【０００５】課題を解決する為の手段として
１）ハエ叩きで叩く時、風受けが少なく、軽くて高速で叩く事ができる事。
２）ハエが止まっている場所に、凹凸状や器物上などの制約が少ない事。
３）叩いた時にハエが、潰れる事が少ない事。
４）製造コストが安い事。
などに主眼を置き、ハエを叩く部分に、風受けを少なくして、ハエ叩き部は硬い材料で作るのでは無く、硬過ぎず、柔らか過ぎない、網（３）、や糸（４）、を束ねた物を考案した。網（３）は「住宅の窓の網戸」の網の様な物が適材で有り、糸（４）は「魚の釣り糸」の糸をバネ状に変形させた物が適している。これらを平面形状では無く、埃を取るはたきの様に立体形状に束ねてある。叩く部分の柔らかさと相まって凹凸が有る殆どの場所でハエを叩く事が出来る。
【考案の効果】
【０００６】ハエを叩く場所の制約が少ない事と、「生きたままで潰さずに」捕獲出来る事が多い為、壁などが汚くならない。
【図面の簡単な説明】
【０００７】
【図１】本考案の実施例１  の全体の斜視図である。
【図２】本考案の実施例２の全体の斜視図である。
【考案を実施する為の形態】
【０００８】本考案品で叩いた時に、網（３）の網目や糸（４）のバネ形状の部分にハエの羽が引っ掛かり、羽にダメージを与える事を目的にしている。この為、ハエを「生きたまま潰れずに」捕獲が出来る率が上がる。  図１、図２、は網（３）、糸（４）、共に解りやすくする為に大ざっぱに表しているが、実際はもっと材料を多く使い、密度を上げる事により腰（柔軟性）は根元が強くて先端が柔らかい理想のバランスがとれる。この事により、手首のスナップを利かし高速で叩けば、複雑な形状の所にハエがとまっていても網（３）や糸（４）が回り込んで叩ける為、ハエの捕獲率が上がる。ハエが潰れる事が心配であれば、ハエに対して正面から叩くのでは無く、かすめる様に平行に近い方向から叩けば、安心してもっと高速で叩く事が出来、捕獲率が上がる。本題からは外れるが、はたきの様な立体的な形状と、柔らかさ、により埃を取るはたきとしても大変便利に使う事が出来る。
【実施例１】
【０００９】握り部（１）、の付いた棒（２）、の先端に、柔らかい住宅の窓の網戸の網程度の網を短冊状にして束ねた、網（３）で構成されたハエ叩き。図１。
【実施例２】
【００１０】実施例１  の網（３）の代わりに、釣り糸の様な糸をバネの様に変形させた糸（４）、をを束ね付けたハエ叩き。図２。
【符号の説明】
【００１１】  １  握り部
２  棒
３  網
４  糸
【図１】
0003194196.tif 000003
【図２】
0003194196.tif 000004
【手続補正書】
【提出日】平成26年7月16日(2014.7.16)
【手続補正１】
【補正対象書類名】実用新案登録請求の範囲
【補正対象項目名】全文
【補正方法】変更
【補正の内容】
【実用新案登録請求の範囲】
【請求項１】
握り部（１）の付いた棒（２）の先端に、短冊状の網（３）を束ね付けたハエ叩き。
【請求項２】
請求項１の網（３）の代わりに、この部分を釣り糸の様な糸をバネの様に変形させた糸（４）を束ね付けたハエ叩き。
(57)【要約】      （修正有）【課題】水中汚濁物を所定の形状をもつ有用な固形物にして材料資源を節減し、更には放射性物質をも含めた廃棄物汚染の防止にも役立つ多目的低コスト用材を提供する。【解決手段】水硬性硬化物１中に凝集材により凝集された被凝集物２が混在する内部構造の固形物Ａを形成する。固形物の形状には、容器状、パイプないしハニカム状、略球状、略板状、略棒状などがあり、被凝集物には放射性廃棄物を含む場合がある。【選択図】図１
0003194197.tif 000002
【実用新案登録請求の範囲】
【請求項１】
水硬性硬化物中に凝集材により凝集された被凝集物が混在する内部構造の固形物から成る多目的低コスト用材。
【請求項２】
被凝集物が、放射性廃棄物を含む被凝集物である請求項１記載の多目的低コスト用材。
【請求項３】
固形物が容器状である請求項１又は請求項２記載の多目的低コスト用材。
【請求項４】
固形物がパイプないしハニカム状である請求項１又は請求項２記載の多目的低コスト用材。
【請求項５】
固形物が略球状である請求項１又は請求項２記載の多目的低コスト用材。
【請求項６】
固形物が略板状である請求項１又は請求項２記載の多目的低コスト用材。
【請求項７】
固形物が略棒状である請求項１又は請求項２記載の多目的低コスト用材。
【考案の詳細な説明】
【技術分野】
【０００１】この考案は、処理に困るような不要ないし有害物を混在させた内部構造の固形物である多目的低コストの用材に関する。
【背景技術】
【０００２】不要ないし有害物を含む汚濁水は、微粒子状になって分散している汚濁物を濾過や凝集沈降などの手段により取り除いて浄化しているのが通例である。この際、大量の汚濁水の処理においては後者がより効率的であるとされている。【０００３】またこのようにして取り除いた汚濁物は、そのままではほとんど活用できず、廃棄物として処理されるか、稀に肥料として使われるに過ぎないのが現状である。
【考案の開示】
【考案が解決しようとする課題】
【０００４】このような現状にあって、汚濁物を徒に廃棄するのでなく、これを所定の形状をもつ有用な固形物にして材料資源を節減し、更には放射性物質をも含めた廃棄物汚染の防止にも役立つようにすることを課題とする。
【課題を解決するための手段】
【０００５】水硬性硬化物１中に凝集材により凝集された被凝集物２が混在する内部構造の固形物Ａを形成し、これをもって本考案の多目的低コスト用材とする。【０００６】ここでいう水硬性硬化物とは、例えばセメントや石膏などのように水と結合ないし化合して安定した硬化物となったものを指すが、普通のセメントや石膏では、水中に塩類や有機物等が含まれている被凝集物２があったりすると安定した硬化物になりにくいことも多い。そこで例えば、商品名セーフロックで知られた特殊セメント系硬化素材を用いることが考えられる。【０００７】凝集材は既に知られた様々なものから適宜選択すればよいが、コストや収集等の都合上、好ましいのは塩化第二鉄系のものである。【０００８】このようにして出来上がった固形物は、その微細な内部構造において、堅牢な水硬性硬化物１を骨格とし、その中に骨格強度は著しく劣るものの軽量断熱性や、時には有益なβ線放出性など有用な機能を有し廃棄物処理に役立ちコスト低減にもつながる被凝集物２が点在する形となり、外部形状は単なる固まり又はその集合であっても、或いは以下掲げるような形に成型したものであっても、それぞれ多目的に有用な低コスト用材となり得るものである。【０００９】例えば汚濁水にセシウム１３７のような放射性廃棄物が含まれている場合、この処理は通常、非常に厄介である。ただそのγ線量が基準値以下であれば、水硬性硬化物１中に封じ込められた被凝集物２の外部に放射されるγ線量は更に低減するとともに、距離の二乗に反比例して低減するから少し離れれば微々たるものとなる。また有害なα線は＋電荷のヘリウム原子核であって外部への浸透力がほとんど無く、内に籠もってアースされヘリウムとなって無害化する。【００１０】また放射性廃棄物の放射能レベルが高くてこれをしかるべき収納ボックス中に収めなくてはならない場合も、在来のように中身が水分を含む不定形なものである場合と本考案のような堅牢な固形物である場合とでは、長期的な外部への浸透性において段違いに異なることになる。【００１１】なお、残るβ線は電子そのものの放出であって、空気中に約１分間かけて数十ｃｍジグザグに進出し、一部マイナスイオンを作り電子リッチな空気や液体を生成することが知られている。事実、その空気をバブリングした水は生体の酸化を防ぎ長持ちさせたり、オイルなども劣化抑制効果が数多く報告されている。【００１２】従って、本考案の固形物を容器状、パイプないしハニカム状、略球状、略板状、略棒状などの形状に成型して、それぞれ低コスト用材として供するだけでなく、例えば液体は容器状体に収めてこれを改質し、空気はパイプないしハニカム状体や多数の略球状体を収めたカートリッジ内を通過させたり、或いは室や収納箱などの壁（板）や柱（棒）に適用してその近辺の空気を改質するという新たな用途が発生する。
【考案の効果】
【００１３】本考案の効果については既に随所で述べてきた通りであり、本考案の固形状の用材は汚濁水の処理の結果生じる凝集物の更なる処理につながるためコストが安くなるとともに、凝集物の種類によっては軽量・断熱性の向上やその近辺に還元性を与えるなどの機能を生じて、用途が多岐に広がる効果がある。
【考案を実施するための最良の形態】
【００１４】放射性物質で汚染され有機物や塩分を含む汚染・汚濁水を塩化第二鉄系の凝集材で凝集沈降させ、その凝集沈殿物を水分を含んだままその水分で水和反応し水硬性硬化物を生成する商品名セーフロック（クリエイトシステムＫ．Ｋ製）で所望する形状に硬化・成型する。【００１５】上記成型物のβ線による還元作用を有効利用するために、その片面を金属のような導電体に接触させ、α線の＋電荷に電子が侵入（アース）し易くして、β線の電子放出を促進させるようにする。なお本考案はかかる例に限定されるものではない。
【産業上の利用可能性】
【００１６】本考案の多目的低コスト用材は、公害防止とコスト低下や付加価値などを兼ね備えるものでニーズが高く、量産も可能であるから、産業上の利用可能性は十分にある。
【図面の簡単な説明】
【００１７】
【図１】本考案の内部構造を示す部分拡大断面図
【図２】本考案の外面形状の例を示す見取図
【図３】本考案の外面形状の例を示す見取図
【図４】本考案の外面形状の例を示す見取図
【図５】本考案の外面形状の例を示す見取図
【図６】本考案の外面形状の例を示す見取図
【符号の説明】
【００１８】１……水硬性硬化物
２……被凝集物
Ａ……固形物
【図１】
0003194197.tif 000003
【図２】
0003194197.tif 000004
【図３】
0003194197.tif 000005
【図４】
0003194197.tif 000006
【図５】
0003194197.tif 000007
【図６】
0003194197.tif 000008
(57)【要約】【課題】  本考案は、コンクリート壁などの打音点検をする際に、アーチ状をした天井を有するトンネルの天井など、非垂直面の点検が容易にできる構造体等の点検具を得るものである。【解決手段】  以上の課題を解決するため本考案の構造体等の点検具は、支軸１が先端に取り付けられ伸縮自在に構成された操作取手２と、支軸１に回転自在に取り付けられ断面が多角形の回転打子３を有する。そして支軸１は屈曲部４を有し、これによって支軸１が屈曲可能であり回転打子３の外周面を、どのような被検査面に対しても当てることができるようにした。【選択図】図１
0003188543.tif 000002
【実用新案登録請求の範囲】
【請求項１】
支軸が先端に取り付けられ伸縮自在に構成された操作取手と、支軸に回転自在に取り付けられ断面が多角形の回転打子を有し、支軸は自由に屈曲する屈曲部を有し、これによって回転打子の外周面の角度を変化させることができるようにした事を特徴とする構造体等の点検具。
【請求項２】
屈曲部には、屈曲角度を固定する固定具を有する事を特徴とする請求項１記載の構造体等の点検具。
【請求項３】
固定具は蝶ねじである事を特徴とする請求項２記載の構造体等の点検具。
【考案の詳細な説明】
【技術分野】
【０００１】  本考案は、本考案は、建物やトンネル或いは橋梁などの構造体の壁面に張り付けたモルタルやタイル等の浮きを簡単に検出できる構造体等の点検具に関する。
【背景技術】
【０００２】  構造体の壁面は、風雨からの保護や意匠上の見地からコンクリート構造物の表面にモルタルを塗ったり、タイルを貼ったりしている。このようなモルタルやタイルは、施工のミス或いは何らかの原因で構造物との間に入った水が凍結するなどして、構造物表面との間に隙間が生じる浮きが発生することがあった。【０００３】  このような隙間即ち浮きが大きくなると、モルタルやタイルが剥がれ落ちる場合があり、極めて危険であるために事前に検出する必要がある。その検出手段として、トンネルなどの壁面をハンマーで叩き、その音によって判断するようにしていた。しかしこのような作業は効率が悪く、疲労度の高い作業であり浮きの発見の正確性も十分ではなかった。【０００４】  このため、特許文献１に開示されるような構造体等の点検具が開発された。これは、多角形の転打子を伸縮自在の取手に回転自在に取り付けたものであって、転打子を検査対象の壁面に当てながら転がすことによってコロコロと音が発生し、その音によってモルタルやタイルの浮きを発見するものである。【０００５】  この特許文献１に開示された構造体等の点検具によって、浮きの検出が極めて効率的で正確になった。しかしこのような構造体等の点検具は浮きの検出が極めて効率的になったため、稼働中のトンネルの壁面の浮きを検査するような場面にも用いられるようになった。
【先行技術文献】
【特許文献】
【０００６】
【特許文献１】特開２００４−２８５８１
【考案の概要】
【考案が解決しようとする課題】
【０００７】  特許文献１に開示されたものは、上記のとおり構造体の点検に効果が高いのであるが、天井のように水平な下面の点検が困難であるという問題があった。
【課題を解決するための手段】
【０００８】  本考案の構造体等の点検具は、支軸が先端に取り付けられ伸縮自在に構成された操作取手と、支軸に回転自在に取り付けられ断面が多角形の回転打子を有し、支軸は屈曲部を有し、これによって屈曲可能に構成されている。
【考案の効果】
【０００９】  本考案の構造体等の点検具は、回転打子を被点検部に当てながら移動させると、回転打子の表面の多角形によって打音が発生する。よってハンマーで打つのに比較して、高能率で打音検査を行う事ができる。【００１０】  そして、被点検部が建造物の天井であったり、回転打子の外周が当たり難い場合には、支軸の屈曲部から屈曲させる事によって、回転打子と被点検部との当たり角度を適切にし、正確で効率の良い打音検査を行う事ができる。【００１１】  また、屈曲部には屈曲角度を確保できるように、蝶ねじが設けられている。これによって、所望の圧力で回転打子の外周を被検査面に当てることができる。
【図面の簡単な説明】
【００１２】
【図１】本考案の構造体等の点検具全体を示した側面図である。
【図２】本考案の構造体等の点検具全体を示した正面図である。
【考案を実施するための形態】
【００１３】  本考案を実施するため本考案の構造体等の点検具は、支軸が先端に取り付けられ伸縮自在に構成された操作取手と、支軸に回転自在に取り付けられ断面が多角形の回転打子を有し、支軸は屈曲部を有し、これによって支軸が屈曲可能であり回転打子の外周面を、どのような被検査面に対しても当てることができるようにした。
【実施例】
【００１４】  １は支軸であり、操作取手２の先端に取り付けられている。３は回転打子であり、支軸１に回転自在に取り付けられている。また回転打子３は横断面が多角形であり、かつ太鼓状に中央部が膨らんでいる。【００１５】  ４は屈曲部であり、ヒンジ構造によって支軸１が自由に屈曲するようになっている。このヒンジ構造の屈曲中心軸として、蝶ねじ５が螺着されている。【００１６】  本考案の構造体等の点検具は、以上のように構成され、以下使い方について説明する。被点検部が垂直の壁の場合、屈曲部４をまっすぐに伸ばし、蝶ねじ５を絞めてその状態を固定する。この場合は特許文献１の説明と同様、支軸１がまっすぐな状態で使われる。【００１７】  被点検部がアーチ状の天井などの場合、回転打子１が適切な角度で被点検部に当たるように、蝶ねじ５を一旦緩め屈曲部４の角度を適切なものにした後、蝶ねじ５を絞めて、その角度を固定する。こうすることによって、被検査部がどのような角度であっても、容易に点検を行うことができる。【００１８】  また本考案の構造体等の点検具は、持ち運びに際してカバンの中などに入れる場合に、長さが長い場合には屈曲部４を直角に曲げることによって、全体の長さが短くなり、カバンなどに収納できるようになる。
【産業上の利用可能性】
【００１９】  本考案の構造体等の点検具は、先端の回転打子３を壁などの被点検部に当てながら移動させることによって、打音が発生し、この音を聞くことによって、被点検部のコンクリートに欠陥があるか否かの点検を行うことができる。
【符号の説明】
【００２０】１    支軸
２    操作取手
３    回転打子
４    ヒンジ部
５    蝶ねじ
【図１】
0003188543.tif 000003
【図２】
0003188543.tif 000004
(57)【要約】      （修正有）【課題】後端部を手のひら等で叩くことにより、飛ばして遊ぶことができる風船型飛行玩具を提供する。【解決手段】円柱状胴体２の先端部３を流線形にし、円柱状胴体２の後端には平坦部４を設け、平坦部４中央には空気弁５を設けた風船型飛行体１であって、飛行体１の後部周縁には垂直尾翼６、水平尾翼７，７を設けたことを特徴とする。【選択図】図１
0003188547.tif 000002
【実用新案登録請求の範囲】
【請求項１】
円柱状胴体の先端部を流線にし、該円柱状胴体の後端には平坦部を  設け、該平坦部中央には空気弁を設けた風船型飛行体であって、該飛行体の後部周縁には垂直尾翼、水平尾翼を設け、上記飛行体後端の平坦部を叩くことにより飛行させるようにしたことを特徴とする風船型飛行玩具。
【考案の詳細な説明】
【技術分野】
【０００１】
本考案は、その後端部を手のひら等で叩くことにより飛行させる風船型飛行玩具に関するものである。
【背景技術】
【０００２】
従来風船型飛行玩具としては、特許第3637427号（発明の名称：ロケット型風船及びその翼部の製造方法）、実公昭29-6220号（考案の名称：ロケットゴム玩具）、実公昭48-15200号（考案の名称：摺動リング翼板付き風船玩具等が知られている。
【先行技術文献】
【特許文献】
【０００３】
【特許文献１】特許第3637427号、実公昭29-6220号、実公昭48-15200号
【考案の概要】
【考案が解決しようとする課題】
【０００４】
このうち、特許第3637427号のロケット型風船は円柱状に膨張するプラスチックフイルム製の風船体の表面に複数の翼部を放射状に設けたものである。
しかし、これは長さ１〜２ｍ前後の大きなもので、特に槍投げのように投げ飛ばすものである。
【０００５】
実公昭29-6220号は、ゴム胴に翼をその中央に矢羽形に貼着し、その後部吹き口に空気挿入口及びこれに通じる横孔を穿設した吹き込み軸を取付け、薄ゴム管を前記軸に嵌め込み空気を挿入してロケット状となした機体Ａと頭部に前記吹き込み軸を嵌合する凹所及び食指挿入孔を設けた射出丸棒Ｂとよりなるロケットゴム玩具構造に関するものである。しかし、これは射出丸棒Ｂにより機体Ａ内の空気圧を逃し、その押圧により機体Ａを飛行させるものである。
【０００６】
実公昭48-15200号は、円筒形状の風船体に摺動リング翼板を嵌め込んでなるふうゴム胴に翼を風船玩具であるが、これは風船体の底部中央指先で押し圧した後、両手を離して飛行させるものである。
【課題を解決するための手段】
【０００７】
これに対して、本願考案者は前記方法とは違う方法で飛ばすことができる風船体を提供することを目的として研究の結果、円柱状胴体の先端部を流線にし、該円柱状胴体の後端には平坦部を設け、該平坦部中央には空気弁を設けた風船型飛行体であって、該飛行体の後部周縁には垂直尾翼、水平尾翼を設けた風船型飛行玩具を提案するものである。
【考案の効果】
【０００８】
即ち、本考案では上記飛行体の後端平坦部を手のひら等で軽く叩くことにより、その力により飛行体を前方向に飛ばすことができ、しかも円柱の飛行体の先端部を流線形にし、且つその後部周縁には垂直尾翼、２つの水平尾翼を設けてあるため、叩いた方向に飛行体を真っ直ぐに遠くまで飛ばすことができる。
【図面の簡単な説明】
【０００９】
【図１】本考案に係る飛行玩具の斜視図
【図２】同上の正面図
【考案を実施するための形態】
【００１０】
円柱状胴体の先端部を流線形にし、該円柱状胴体の後端には平坦部を設け、該平坦部中央には空気弁を設けた風船型飛行体であって、該飛行体の後部周縁には垂直尾翼、水平尾翼を設けた風船型飛行玩具。
【実施例１】
【００１１】
１は、本考案に係る低密度ポリエチレン製円柱状胴体２を有する風船型飛行体であって、その表面には印刷又は無地等の加工が施されている。
【００１２】
円柱状胴体２の先端部３は流線形に加工され、円柱状胴体２の後端には平坦部４が設けられ、平坦部４の中央には逆止弁５が設けられる。
【００１３】
更に、円柱状胴体２の後部周縁には紙製の垂直尾翼６、水平尾翼７，７を両面接着テープを介して取り付ける。
【００１４】
以上のようにして作成された飛行体１は片手で掲げ、一方の手のひらで逆止弁５が取付けられた平坦部４を叩き、この衝撃振動により飛行体１を飛行させることができる。
【００１５】
しかも、飛行体１は先端部３を流線形に加工し、且つ円柱状胴体２の後部周縁には紙製の垂直尾翼６、水平尾翼７，７が設けられているため、安定して直進して遠くまで飛行されことができる。
【００１６】
なお、更に安定性を垂直尾翼６をもう一つ増やしても良い。
【産業上の利用可能性】
【００１７】
以上要するに、本考案では以前とは異なる方法で飛ばして遊ぶことができる風船型飛行玩具を提供できる。
【符号の説明】
【００１８】
１は、本考案に係る低密度ポリエチレン製風船型飛行体
２は、その円柱状胴体
３は、その先端部
４は、その後端平坦部
５は、逆止弁
６は、垂直尾翼
７，７は、水平尾翼
【図１】
0003188547.tif 000003
【図２】
0003188547.tif 000004
(57)【要約】      （修正有）【課題】身近な植物を利用して、花や草木を生けるための特定の技術を必要とせず、花留めなどの容器以外の道具を必要とせず、食卓の上や窓辺などの室内に、手軽に花や草木を生けることを可能とする容器構造を提供する。【解決手段】容器構造は、上部蓋１と下部２から成り立つ構造である。上部蓋１と下部２の内部３は別々にくり抜き、中空部分３とする。上部蓋１と下部２をねじこみ式の分離／結合部４、又は嵌め込み式の分離／結合部５によって分離もしくは結合させる。【選択図】図１
0003188544.tif 000002
【実用新案登録請求の範囲】
【請求項１】
上部蓋（１）と下部（２）で構成された中空容器であり、その上部蓋部分に植物を差し込むために使う１つ又は複数の穴（６）があけられていることを特徴とする容器構造。
【請求項２】
前記上部蓋と下部が、ねじ込み式（４）又は嵌め込み式（５）の手法で分離／結合され、一体化されることを特徴とする請求項１に記載の容器構造。
【考案の詳細な説明】
【技術分野】
【０００１】  本考案は、誰もが手軽に身近な植物（特に細い茎や幹を有する植物）を生けるための容器構造に関するものである
【背景技術】
【０００２】  従来から、花や草木を生ける手段として  花瓶、花器、花篭  一輪差し等様々な方法が普及している。
【考案の概要】
【考案が解決しようとする課題】
【０００３】  しかしながら、従来の方法においては生け花やフラワーアレンジメントの素養が必要とされ、初心者が花や草木を上手に生けるのは極めて難しく、特に茎や幹の細い植物の場合は、剣山留めのような花留めやスミザーズオアシス（Ｓｍｉｔｈｅｒｓ  Ｏａｓｉｓ）社のオアシス▲Ｒ▼のようなフローラルフォーム等の道具を使用したとしても、より高度な技術が必要とされる。【０００４】  また前記オアシス▲Ｒ▼のようなフローラルフォームは使用後に穴が開くため使い捨てとなりやすい。
【課題を解決するための手段】
【０００５】  そこで本考案では上記課題を解決するため、上部蓋と下部で構成され、その内部に中空部分をもち、上部蓋部分に１つ又は複数の穴があけられた容器構造を提案する。【０００６】  上部蓋部分にあけられた穴の寸法は、直径３ｍｍから直径１０ｍｍまでの間で任意に選択することが可能であり、直径３ｍｍ未満又は直径１０ｍｍ以上であっても良いが、植物の保持が望まれる角度や位置で実現されるためには、好ましくは直径３ｍｍから直径１０ｍｍまでの間とし、該穴から植物を差し込む。【０００７】  本考案の容器構造は、上部蓋と下部とに分離／結合することができ、その内部に中空部分を与え、該中空部分に植物に必要な水を供給することができ、水は本考案の容器構造の下部の高さにまで満たすことができ、上部蓋と下部とが分離／結合できるため、給排水及び容器の清掃が容易におこなえ、利便性が高い。
該分離／結合はねじ込み式、嵌め込み式によって実現されるため、操作しやすく、結合後の安定性も高い。
【考案の効果】
【０００８】  容器の上部蓋に１つ又は複数の穴があけられていることにより、身近な植物（特に細い茎や幹をもつ植物）やドライフラワー、プリザーブドフラワー等様々な花材を差し込んで生けるだけで、誰もが手軽に花や緑のある生活を愉しむことが可能になる。【０００９】  本考案の容器構造は、従来花材の対象となることが少なかった道端の草花、鉢植えの草花、もしくは庭木の一枝など身近に存在する植物を利用するのに適しており、経済的である。【００１０】  本考案の容器構造は分離／結合が可能であるため、分離することによって容器の移動、持ち運びに便利であり、結合することによって容器保管時の紛失を防止できる。【００１１】  容器の材質、形状、大きさについては制約がないため、所望の材質、形状、大きさに応じて、自由な発想で製品を作ることが可能である
【図面の簡単な説明】
【００１２】
【図１】本考案の容器構造の側面方向からの断面図である
【図２】本考案の容器構造の上方向からの平面図である
【考案を実施するための形態】
【００１３】  以下、本考案の穴あき蓋付き一体型容器構造及びその製造方法について図面を参照して説明する。
【００１４】  図１は本考案の実施例を示すものであり、異なった形状の例として図１Ａと図１Ｂを記載する  図１Ａと図１Ｂに例示する容器構造は、共に上部蓋（１）と下部（２）から成り立つ構造である。上部蓋（１）と下部（２）の内部（３）は別々にくり抜き、中空部分（３）とする。
【００１５】  上部蓋（１）と下部（２）を図１Ａに例示するようなねじこみ式の分離／結合部（４）、又は図１Ｂに例示するような嵌め込み式の分離／結合部（５）によって分離もしくは結合させる。
【００１６】  図２Ａ及び図２Ｂに例示するように、上部蓋（１）の中心及びその周囲に１つ又は複数の花材を差し込むための穴をあけ、図１Ａ及び図１Ｂに例示するように該穴は上部蓋（１）を貫通する。図２に例示するように、該穴は図２Ａでは３つ、図２Ｂでは３つがあけられているが、これはあくまでも参考例であり、３つ未満もしくは５つ以上であっても良い。
【符号の説明】
【００１７】１  上部蓋
２  下部
３  中空部分
４  ねじ込み式の分離／結合部
５  嵌め込み式の分離／結合部
６  植物を差し込む穴
【図１】
0003188544.tif 000003
【図２】
0003188544.tif 000004